(57)【要約】【課題】  複数の利用者がログインし、利用者の切替を行うことでカラオケ会員サービスを提供するカラオケリモコン装置において、ログインしている利用者の切替操作を簡単に行う。【解決手段】  本発明のカラオケリモコン装置は、複数の利用者がログイン可能であると共に、指紋読取手段（２０３）が操作された際、指紋読取手段（２０３）が読み取った利用者の指紋に基づいた指紋情報を生成する第１処理と、第１処理で生成した指紋情報がログインしている利用者のものであるか否かを確認する第２処理と、指紋情報がログインしている利用者のものである場合、当該利用者のサービス処理を開始する第３処理とを行うことを特徴としている。【選択図】      図４
2009294243.tif 000002
【特許請求の範囲】
【請求項１】
指紋読取手段と、入力手段と、表示手段と、制御手段とを備え、カラオケ演奏装置に対して楽曲の演奏リクエストを可能とすると共に、複数の利用者がログイン可能なカラオケリモコン装置であって、
指紋読取手段は、利用者の指紋読取を可能とし、
入力手段は、利用者からの各種入力を受け付け可能とし、
表示手段は、制御手段の制御に基づいて表示を行い、
制御手段は、指紋読取手段が操作された際、第１−第３処理からなる切替処理を行い、
第１処理は、指紋読取手段が読み取った利用者の指紋に基づいた指紋情報を生成し、
第２処理は、第１処理で生成した指紋情報がログインしている利用者中のものであるか否かを判断し、
第３処理は、指紋情報がログインしている利用者中のものである場合、当該指紋情報に対応する利用者のサービス処理に切替える
カラオケリモコン装置。
【請求項２】
第２処理において、第１処理で生成した指紋情報がログインしている利用者のものでないときは、少なくとも利用者をログインさせる案内を表示する
請求項１に記載のカラオケリモコン装置。
【請求項３】
カラオケホスト装置と相互に通信が可能な通信手段をさらに備え、
制御手段は、利用者の入力に基づいて、カラオケホスト装置と認証処理を行うことでログインさせる開始処理を可能とする
請求項１または請求項２に記載のカラオケリモコン装置。
【請求項４】
第３処理は、当該指紋情報に対応する利用者が最後に利用していた状態に戻ってサービス処理を開始する
請求項１乃至請求項３のいずれか１つに記載のカラオケリモコン装置。
【発明の詳細な説明】
【技術分野】
【０００１】
本発明は、カラオケリモコン装置、および、それを利用するカラオケシステムに関するものであり、特に、カラオケリモコン装置において、利用者毎の各種サービスを提供するものに関する。
【背景技術】
【０００２】
通信型カラオケ装置では、新たな楽曲をホスト装置から配信する通信技術をベースとしてネットワーク化、並びに、そのアプリケーション開発が進み、近年ではインターネットなどの通信網を介してホスト装置と通信接続し、ホスト装置にてカラオケシステムを集中管理することによる会員サービスも行われている。この会員サービスにおいては、ホスト装置が各利用者を利用者ＩＤで識別し、利用者毎の演奏履歴や、採点履歴、利用者の嗜好情報などを収集し、楽曲に関する情報を提供するなどのサービスが行われている。
【０００３】
このようなサービスの提供において、特許文献１には、カラオケ装置の利用者がログイン操作を行うことにより当該利用者の個人別曲目リストなどを表示できるようにするとともに、この利用者の仲間同士の存在情報を交換できるようにしたことが開示されている。この特許文献１におけるログインは、選曲予約装置本体をクレードル上に載置し、クレードル上に設けられたＩＣカードリーダー上にＩＣカードをセットしてログイン操作をすることで行われる。カラオケボックスに同室している複数の利用者が、各々各自のＩＣカードを設定してログイン操作を行うことで、図１０に示すように複数の利用者がメンバーズゲートに登録されることとなる。
【０００４】
メンバーズゲートにおいて、利用者が自分の顔写真にタッチすることで、当該利用者のマイリストやランキング履歴などの利用者情報が表示され、これらに基づいて利用者は自分の得意とする楽曲を選択することが可能となる。
【０００５】
このように利用者の識別が必要となるカラオケシステムでは、端末装置となるカラオケ演奏装置やカラオケリモコン装置側にて、特許文献１に記載されるように、ＩＣカードによる認証、あるいは、利用者ＩＤとパスワードによる認証といった各種の認証技術が必要とされる。
【０００６】
このような認証技術の１つとして生体認証が知られている。現在、各種のものが開発されており、例えば銀行のＡＴＭでは、指紋認証や手のひらや指の血管の形を読み取る静脈認証が利用されたものも見られる。また、指紋認証は個人が携帯するノート型パーソナルコンピュータ（ノートＰＣ）のログイン認証や、各種パスワードに代わる認証方法としても採用されている。
【０００７】
カラオケの分野においても、生体認証を採用する試みが、特許文献２（特開２００５−１０７２５７号公報）にみられる。この文献が開示する技術は、カラオケリモコン装置に指紋認証機能を付加したものであって、指紋読取手段で読み取った利用者の指紋を所定の指紋情報に解析・変換し、利用者ＩＤと関連付けて登録しておき、カラオケリモコン装置からの楽曲の予約に際して読み取った指紋情報を利用者ＩＤに変換して、楽曲の予約に伴う予約楽曲コードと併せて転送することで、当該予約楽曲を誰が予約したかを表示させたり、当該予約楽曲の演奏中や演奏前後に、利用者に対応したメッセージなどを表示させたりすることができるものである。
【特許文献１】特開２００７−１３３３３０公報
【特許文献２】特開２００５−１０７２５７公報
【発明の開示】
【発明が解決しようとする課題】
【０００８】
特許文献１にて開示するように、カラオケにおいて利用される選曲予約装置は、同室において複数の利用者が利用することとなるため、１つの選曲予約装置に対して複数の利用者がログインする状況となる。よって、マイリスト、ランキング履歴といった利用者情報画面からの選曲補助サービスを利用したい利用者は、図１０等に示されるメンバーズゲートから利用者を指定して切り替える必要がある。また、図１１に示される利用者情報表示画面から、別の利用者が個人向けサービスを利用したい場合には、一度、図１０に示されるメンバーズゲート画面に戻って写真を選択する必要がある。
【０００９】
このように、特許文献１において、ログインしている利用者の切替を行う場合には、メンバーズゲートを介して行う必要があり、利用者にとってその操作は非常に煩わしいものである。また、利用者の切替を行わずとも、利用者情報画面からの選曲は可能となっているため、異なる利用者が切替を行わずに選曲などを行い、他人の利用者情報を更新してしまうという不都合も発生しかねない。
【００１０】
また、特許文献２では、生体認証としての指紋認証をカラオケリモコン装置に付加したものではあるが、指紋情報は楽曲の予約に際して読み取られ、楽曲の予約に伴う予約楽曲コードと併せて転送されるものであって、利用者がログインすることで会員サービスに参加することに関連するものではない。
【課題を解決するための手段】
【００１１】
本発明は、従来の問題や不都合を解決するために提案されたもので、複数の利用者がログインし、利用者の切替を行うことでカラオケ会員サービスが提供されるカラオケリモコン装置において、ログインしている利用者を簡単に切り替える手法を提言するものである。
【００１２】
そのため、請求項１に係るカラオケリモコン装置は、指紋読取手段と、入力手段と、表示手段と、制御手段とを備え、カラオケ演奏装置に対して楽曲の演奏リクエストを可能とすると共に、複数の利用者がログイン可能なものであって、指紋読取手段は、利用者の指紋読取を可能とし、入力手段は、利用者からの各種入力を受け付け可能とし、表示手段は、制御手段の制御に基づいて表示を行い、制御手段は、指紋読取手段が操作された際、第１−第３処理からなる切替処理を行い、第１処理は、指紋読取手段が読み取った利用者の指紋に基づいた指紋情報を生成し、第２処理は、第１処理で生成した指紋情報がログインしている利用者中のものであるか否かを判断し、第３処理は、指紋情報がログインしている利用者中のものである場合、当該指紋情報に対応する利用者のサービス処理に切替えることを特徴とするものである。
【００１３】
さらに、請求項２に係るカラオケリモコン装置では、第２処理において、第１処理で生成した指紋情報がログインしている利用者のものでないときは、少なくとも利用者をログインさせる案内を表示することを特徴とするものである。
【００１４】
さらに、請求項３に係るカラオケリモコン装置では、カラオケホスト装置と相互に通信が可能な通信手段をさらに備え、制御手段は、利用者の入力に基づいて、カラオケホスト装置と認証処理を行うことでログインさせる開始処理を可能とすることを特徴とするものである。
【００１５】
さらに、請求項４に係るカラオケリモコン装置では、第３処理は、当該指紋情報に対応する利用者が最後に利用していた画面に戻ってサービス処理を開始することを特徴とするものである。
【発明の効果】
【００１６】
本発明によれば、複数の利用者がログインするとともに利用者を切り替えながら共有して利用するカラオケリモコン装置において、指紋認証手段を操作するのみでログインしている利用者を簡単に切り替えることができる。この簡易な操作により、飲酒を伴って行われる機会の多いカラオケにおいても利用者の切り替えが確実となり、各種カラオケ会員サービスにて必要となる会員本人の利用状況などを確実に収集することが可能となる。
【００１７】
さらに、指紋認証手段操作で読み取った利用者の指紋情報が、その時点でログインしている利用者のものでない場合には、まだログインしていない利用者である可能性があることを判別でき、当該利用者に対するログインを促すことができる。このようにすることで、従来のようにログインしている利用者の一覧を示さずとも、まだログインしていない利用者をログインさせることが可能となる。
【００１８】
この指紋認証手段操作で読み取った利用者の指紋情報が、その時点でログインしている利用者のものでない場合には、まだ会員登録していない利用者である場合もあるため、会員サービスへの新規登録をも促すことも可能である。さらに、ログイン認証に指紋認証を含んだ複数の認証の中から、何れかの認証でログインできるシステムにあっては、指紋認証以外の認証にてログインした利用者である場合もあるため、指紋認証への変更を促すことも可能となる。
【００１９】
また、利用者を切り替えた際、当該利用者が最後に利用していた画面に戻ってカラオケ会員サービスにおけるサービス処理を開始するため、利用者は前回の続きからカラオケ会員サービスを再開できる。
【発明を実施するための最良の形態】
【００２０】
以下、本発明の実施形態を図面を参照しながら説明を行う。図１は、本発明の実施形態に係るカラオケシステムを示した図であり、特に、１つの店舗にて複数のコマンダ、いわゆるカラオケ演奏装置を設置して営業を行うカラオケボックスとしての一実施形態を示した図である。
【００２１】
図１において、５０は通信網、６０はルータ、７０は無線アクセスポイント、１００はホスト装置、２００はリモコン装置、３００はコマンダをそれぞれ示している。本実施形態において、各コマンダ３００はｒｏｏｍ１〜ｒｏｏｍ４毎に１台ずつ配置され、リモコン装置２００からリクエストされた楽曲を演奏する。例えば、コマンダ１が設置されるｒｏｏｍ１には１台のリモコン装置１が配置され、コマンダ１はリモコン装置１からの楽曲リクエストを受け付けることができる。また、コマンダ４が設置されたｒｏｏｍ４では２台のリモコン装置４−１、４−２が配置され、コマンダ４は、リモコン装置４−１、４−２のどちらからも楽曲リクエストを受け付けることが可能となっている。なお、コマンダ３００のフロントパネルなどに設けられた入力手段からも楽曲のリクエストは可能となっている。
【００２２】
各コマンダ３００は、ＬＡＮによりルータ６０と接続されており、インターネット回線といった通信網５０を介してホスト装置１００と通信接続されている。このように通信接続されることで各コマンダ３００は、ホスト装置１００から楽曲配信や、プログラム配信を受信することができると共に、ホスト装置１００に対して利用履歴などを送信することができる。
【００２３】
コマンダ３００が接続されるＬＡＮ上には、無線アクセスポイント７０も接続されており、各リモコン装置２００と無線通信が可能なように設定されている。このように設定することで、各リモコン装置２００はコマンダ３００と同様、通信回線を介してホスト装置１００と通信を行うことが可能である。リモコン装置２００がホスト装置１００と通信を行うことで、ホスト装置は、利用者がログインしているリモコン装置２００に対して会員サービスを提供することができる。
【００２４】
会員サービスは、各会員の情報をホスト装置１００で管理することで、利用者がどのリモコン装置２００からログインしても、各利用者に対するサービスを受けることができるものであって、例えば、各利用者の予約履歴を管理することで、再来店した場合に参照可能としたり、予め利用者が気に入った歌手を登録しておき、その歌手の持ち歌を参照可能としたり、登録しておいた十八番を参照可能とする選曲補助や、採点履歴に基づいて他の利用者と得点を競ったりするサービス処理を提供できる。
【００２５】
本実施形態では、ＬＡＮを介して複数のコマンダ３００が接続された、いわゆるカラオケボックスでの営業形態を説明したが、スナックなどのナイト店においては、コマンダ３００が１台設置される共に、リモコン装置２００が１台乃至数台設置される構成が採用されることととなる。
【００２６】
次に、本発明のカラオケシステムにおいてカラオケ演奏装置となるコマンダ３００についてより詳しく説明する。図２は本発明の実施の形態に係るカラオケシステムで用いられるコマンダ３００及びその周辺のブロック構成を示す図である。３０１はコマンダ制御手段、３０２はコマンダ通信手段、３０３はフロントパネル表示手段、３０４は表示制御手段、３０５はコマンダ記憶手段、３０６はコマンダ入力手段、３０７は音源、３０８はミキサ手段、４０１はアンプ、４０２はスピーカー、４０３はマイクロフォン、４０５はディスプレイをそれぞれ示している。
【００２７】
カラオケルームなどの空間に設置されるコマンダ３００には、ＣＲＴやＴＦＴ等の映像表示装置であるディスプレイ４０５、音声増幅装置であるアンプ４０１が接続されており、コマンダ３００からの制御出力によりディスプレイ４０５に歌詞映像と背景画像を表示し、歌詞映像の表示と同期させてカラオケ楽曲の再生信号をアンプ４０１へ送出し、スピーカー４０２から演奏音が得られるようにしている。そして、前記アンプ４０１には、ミキサ手段３０８を介してマイクロフォン４０３が接続されており、利用者は、歌詞映像に合わせてこのマイクロフォン４０２から自身の発声を入力し歌唱することになる。
【００２８】
コマンダ制御手段３０１は、コマンダシステム全体の制御を司る。コマンダ記憶手段３０５にはハードディスクなどが用いられ、ホストサーバ１００から受信した楽曲データ、映像データやカラオケ演奏以外の機能を実行させるデータであるデータが記憶される。
【００２９】
コマンダ通信手段３０２は、周知の規格の有線ＬＡＮなどが用いられ、リモコン装置２００からコマンダ３００に対する制御命令や、楽曲データ、映像データやファームウエアデータなどをホストサーバ１００からダウンロードするために利用される。また、ＬＡＮを介して他のコマンダやその他の機器に接続する機能も有し、他のコマンダや他の機器との間で情報の送受信が可能とされる。
【００３０】
コマンダ入力手段３０６は、コマンダ３００のフロントパネルなどに設けられた各種スイッチ機能であり、予約選曲、キーコントロール、歌唱プログラムなどカラオケ装置特有の機能を手動設定が可能となるようにしている。表示制御手段３０４は、カラオケ楽曲に伴う映像や、その他、コンテンツデータ、広告データなどの映像データをディスプレイ４０５にて表示するための表示制御を行う。音源３０７は、ＭＩＤＩ、ＰＣＭ、ＭＰＥＧなどの規格に基づく楽曲データに基づいて楽音信号を形成する。ミキシング手段３０８は、音源３０７が形成した複数の楽音信号とマイクロフォン４０３から入力される歌唱者の歌唱音声信号を適宜なバランスで混合する。このミキシング手段３０８で混合された信号、アンプ４０１に出力されてスピーカ４０２から放音出力されることとなる。
【００３１】
この他にも、従来のリモコン装置で使用されるＩＲ信号を送受信可能とする通信手段を予備的に設け、ＩＲ信号による楽曲リクエストにも対応できる構成としてもよい。
【００３２】
次に、本発明のカラオケシステムにおけるカラオケ選曲装置であるリモコン装置２００についてより詳しく説明する。図３（Ａ）、図３（Ｂ）は本発明の実施の形態に係るカラオケシステムで用いられるリモコン装置の構成を示す図である。
【００３３】
図３（Ａ）は、リモコン装置のブロック構成を示した図であって、２０１は制御手段、２０２は通信手段、２０３は指紋読取手段、２０４は記憶手段、２０５は表示手段、２０６はタッチ式センサを示している、そして、２０５の表示手段とその表面に設置される透明のタッチ式センサ２０６とでタッチパネル２０７を構成している。
【００３４】
リモコン装置２００は、制御手段２０１が装置全体の制御を司る。記憶手段２０４としては、ＲＡＭなどメモリやハードディスクなどが用いられ、楽曲選択のためのリストやサービス処理を行う際の利用者情報などが格納される。
【００３５】
タッチ式センサ２０６は、利用者の指やスタイラスなどの接触による入力操作を可能としている。タッチ式センサ２０６による入力を可能とするため、表示手段２０５にはタッチ式センサ２０６に対する制御と連動した表示画像が表示されるようにプログラムされてる。このタッチ式センサ２０６と表示手段２０５により、いわゆるタッチパネル２０７が構成される。なお、本実施形態では、入力手段としてタッチ式センサ２０６を用いる例について説明しているが、本発明はこれに限定されるものではなく、例えば、キーボード、カーソルキーなどの機械的入力手段に代えてもよい。また、これらをタッチ式センサ２０６と併せて用いてもよい。
【００３６】
通信手段２０２は、本実施形態では、無線アクセスポイント７０との間で無線ＬＡＮ規格（例えば、ＩＥＥＥ８０２．１１ａ／ｂ／ｇ規格など）などに従った無線通信を行う、ホスト装置１００と通信接続するための無線通信手段である。なお、このホスト装置１００との通信は、例えば、Ｂｌｕｅｔｏｏｔｈ（登録商標）によって実現しても構わない。その場合、各コマンダ３００には、Ｂｌｕｅｔｏｏｔｈ規格の通信手段が設けられることとなり、リモコン装置２００はコマンダ３００を経由してホスト装置１００と通信を行うこととなる。
【００３７】
本実施形態において、リモコン装置２００からの楽曲リクエストは、この通信手段２０２を介して行われることとなる。すなわち、コマンダ３００とリモコン装置２００が予め対応付けられることで、同一のＬＡＮ上に接続されていても、コマンダ３００は自分に対する楽曲リクエストであることを判別することができ、楽曲リクエスト機能を実現する。
【００３８】
指紋読取手段２０３は、利用者がその表面を押圧、もしくは、スライドさせることで利用者の指紋を読み取る機能を有するものであり、読み取った指紋に基づいて認証処理が行われ利用者はサービスにログインすることとなる。なお、利用者によってはログインのための認証方法として、指紋認証を好まないというような場合がある。そこで、本実施形態におけるカラオケシステムでは、この指紋読取手段２０３を利用した指紋認証を行うか、タッチパネル２０７からのパスワード入力による認証を行うかを利用者が選択できるようになっている。
【００３９】
図３（Ｂ）は、このリモコン装置２００の外観（正面図）を示したものであり、筐体中央にはタッチパネル２０７が配置され、利用者に対して各種の表示を行うと共に、スタイラス４０６あるいは指を接触させることによる利用者の入力を受け付ける。本実施形態では、このタッチパネル２０７のみを利用しているが、この他にも各種の入力手段の形態は変更可能であり、例えば、画面周囲に配置される各種キーにより利用者の入力を受け付ける形態などが考えられる。
【００４０】
タッチパネル２０７右上には指紋読取手段２０３が設けられている。左右どちらかに偏らせて指紋読取手段２０３を設けることで、カラオケリモコン装置２００を扱う利用者は、指紋読取の際、意識せずとも偏らせた側の手の指を使用することとなり、どちらの手で認証を行ったかを覚える煩わしさがない。この指紋読取手段２０３上に指をスライドさせることで指紋の読み取りが行われることとなる。読み取られた指紋は制御手段２０１において適宜なアルゴリズムで特徴が抽出され指紋情報に変換されることとなる。
【００４１】
以上、図１〜図３を用いて本システムにおけるハードウェア構成を説明したが、これらハードウェア構成を利用し、予め登録した利用者が会員サービスを開始するにあたって行う開始処理について説明を行う。
【００４２】
図４（Ａ）、図４（Ｂ）は、図３（Ｂ）のタッチパネル２０７に表示される２種類の初期画面を示したものであって、枠で囲まれた文字やアイコン（ボタン）をタッチすることで、それに応じた処理が実行される。図４（Ａ）は会員サービスに登録していないゲストとしての利用者が各種選曲を行うためのゲスト画面、図４（Ｂ）は会員サービスに登録した利用者が会員サービスを利用している状態での利用者画面を示している。図４（Ａ）、図４（Ｂ）の左側には、共通して「新譜」、「歌手名」、「曲名」に代表される９つのボタンを備えた選曲メニューが表示され、歌手名や楽曲名を指定することによる通常選曲や各種ゲームなどを選択することが可能となっている。これらは、図４（Ａ）と図４（Ｂ）とで共通しており、会員サービスに登録していない利用者（ゲスト）、会員サービスを利用中の利用者に関わらず共通して利用可能となっている。
【００４３】
一方、画面右側には、利用者が会員サービスを利用するための各種ボタンを備えた利用者メニュー６００が設けられており、図４（Ｂ）にみられるように、会員サービスを利用している場合には、利用者のニックネームまたは氏名（図では「ああああ  さん」が利用中）、利用者が事前に登録した写真、アイコン、アバターなどが表示される。
【００４４】
会員サービスを利用している利用者は、図４（Ｂ）の「マイメニュー」、「あなたへのオススメ」、「マイリスト」、「マイりれき」といったボタンにタッチすることで、それらに応じた会員サービスを受けることができる。本実施形態では「マイメニュー」ボタンを選択すると、本システム内に構築されたメールシステムを利用したメールサービス（不図示）や、各種設定を行うことが可能であり、また、「あなたへのオススメ」ボタンを選択すると、利用者の登録情報などによる楽曲推薦が行われ、「マイリスト」ボタンを選択すると、利用者が登録している十八番から選曲が可能となり、また、「マイりれき」ボタンを選択すると、利用者がこれまでに歌唱した楽曲が履歴順に表示されることとなる。
【００４５】
一方、図４（Ａ）のゲスト画面では、会員サービスが利用されていないため、この利用者メニュー６００には、個人認証、新機能などの紹介メッセージや、新譜広告などが表示されることとなる。さらに、図４（Ａ）、図４（Ｂ）には共通して「メンバー一覧」、「新規登録」、「ログイン」といったボタンが設けられており、利用者の会員サービスへの参加、サービスを受ける利用者の変更を可能としている。利用者が「メンバー一覧」ボタンを選択すると、図５のメンバー画面に移動して、現在、会員サービスを利用中の利用者を表示することとなる。
【００４６】
図５のメンバー画面にて、利用者を選択し、画面上にある「メンバー切替」ボタンを選択すると、会員サービスの対象は該当する利用者に切り替えられ、図４（Ｂ）に移動して、各メンバー個人に対するサービス処理が開始される。本実施形態では、このように従来と同様のメンバー画面を用いて利用者の切り替えを行うことも可能としている。
【００４７】
また、図５のメンバー画面から、ログイン、ログアウトを行うことも可能であり、メンバー画面にて、まだ自分がログインしていないことを確認した利用者は「ログイン」ボタンを選択して新たに会員サービスにログインすることとなる。一方、会員サービスを終了したい利用者は、利用者を選択して「ログアウト」ボタンを選択することで、会員サービスの終了が可能となる。
【００４８】
「ログイン」ボタンは、図４（Ａ）、図４（Ｂ）にも設けられており、利用者はこの画面からも新たに会員サービスにログインすることができる。また、「ログイン」ボタンの左側には「新規登録」ボタンが表示されており、まだ、会員サービスに登録していない利用者は、このボタンを選択し登録処理を行うことで会員サービスが利用可能となる。
【００４９】
次に、図６、図７を用い本願発明の実施形態である会員サービスの開始処理について説明する。図６は会員サービスの開始処理を示したフロー図であり、図７は開始処理において、リモコン装置２００のタッチパネル２０７に表示される画面遷移図を示したものである。
【００５０】
図４（Ａ）、図４（Ｂ）、図５のタッチパネル２０７上に示された「ログイン」ボタンにタッチすると開始処理が始まる（Ｓ１００）。本実施形態においては、指紋認証、利用者ＩＤとパスワードを用いた認証を採用しているため、利用者は、図７（Ａ）に示す画面にてどちらを利用するかを選択することとなる（Ｓ１０１）。利用者ＩＤとパスワードを用いた認証を選択した場合には、Ｓ１０７〜Ｓ１０９で示す過程のログイン処理が行われ、成功した場合（Ｓ１１０）には、リモコン装置２００は、ホスト装置１００から各種情報を得てサービス処理を開始する。
【００５１】
この利用者ＩＤとパスワードを用いた認証を選択した場合のログインでは、指紋情報を用いないことになる。本発明の特徴である指紋情報を用いた利用者の切替処理を行う場合には、ホスト装置１００に、各種会員情報の１つとして指紋情報を登録しておき、ログイン後、ホスト装置１００からリモコン装置２００に当該利用者の指紋情報を取得して切替処理に利用することとしてもよい。
【００５２】
一方、指紋認証を利用した場合にはＳ１０２へ進み、図７（Ｂ）に示す画面にて生年月日の入力が促される。入力された生年月日は、Ｓ１０３にてホスト装置１００へ送信される。ホスト装置１００では、予め会員情報の位置情報として登録されている指紋情報の中から、受信した生年月日に対応する指紋情報を少なくとも含んだ情報をリモコン装置２００に返信する。リモコン装置２００側では、生年月日の入力を終えた利用者は、図７（Ｃ）に示す画面にて、指紋読取手段２０３による指紋の読み取りを行う。そして、Ｓ１０６にて、読み取られた指紋による指紋情報と、ホスト装置から取得した生年月日に対応する指紋情報を照合し、照合できた、すなわち、ログインに成功した場合には、どの指紋情報と照合できたかをホスト装置１００へ送信し、当該指紋情報を利用者と判断するサービス処理が開始される。
【００５３】
このように、本実施形態における指紋情報を利用した開始処理では、利用者関連情報に対応する指紋情報をリモコン装置２００側にダウンロードし、リモコン装置側にて指紋情報の照合を行うこととなるため、ホスト装置１００における検索負荷を抑制することができる。
【００５４】
本実施形態では、リモコン装置２００側にて指紋情報の照合を行うこととしたが、これに代えて、ホスト装置１００側にて指紋情報の照合を行うこととしてもよい。その際には、入力した利用者関連情報と指紋情報をホスト装置１００に送信し、ホスト装置側にて利用者関連情報にて絞り込んだ上で指紋情報の照合を行うことができるため、このホスト装置１００側で行う際にも認証の負荷を削減することが可能となる。
【００５５】
なお、本実施形態、および、このホスト装置１００側にて指紋情報の照合を行う何れの場合においても、指紋情報の入力（Ｓ１０４）と利用者関連情報の入力（Ｓ１０２）との入力順序を問うものではない。
【００５６】
以上のような開始処理を経てログインすることにより、利用者の指紋情報は、リモコン装置２００にてログインしてからログアウトするまでの間管理されることとなる。すなわち、リモコン装置２００では現時点で誰がログインしているかを判断できるようになっている。例えば、図５にて説明したメンバー画面の状態では、メンバー５人の指紋情報がリモコン装置２００にて管理されることとなる。
【００５７】
では、次に、本発明における実施形態に係る切替処理について図８を用いて説明を行う。切替処理は、少なくとも１人のログインしている状態が前提となる（Ｓ２００）ものであって、利用中の何れの画面からも行うことが可能となっている。Ｓ２０１において指紋読取手段２０３への操作があるまで待機する。この指紋読取手段２０３への操作とは、例えば、指紋読取手段２０３に対して指が接触したことによる通電、または、押圧、あるいは、指紋読取手段２０３付近に設けられた各種センサーにより判断することができる。指紋読取手段２０３への操作がされたと判断された場合には、指紋読み取りを開始して、読み取った指紋を解析することで指紋情報に変換する（Ｓ２０２）。
【００５８】
このようにＳ２０２にて取得できた指紋情報を、Ｓ２０３にて現在、サービス処理を利用している利用者なのか否かが判断される。現在、サービス処理を利用している同一の利用者の指紋情報である場合には、サービス処理を別の利用者に切り替える必要は無いため、処理を行うことなくＳ２０１に戻り再び待機することとなる。一方、異なる指紋情報である場合には、Ｓ２０４にて、現在ログインしている利用者の指紋情報か否かが判断される。現在ログインしている利用者の指紋情報である場合には、Ｓ２０５以降に進み各種利用者毎のサービスに対する切替が行われることとなる。
【００５９】
まず、Ｓ２０５では、現在の画面、例えば、利用者がどの検索モードで楽曲検索を行っていたかなどといった画面の状態を記憶手段に待避させる。このようないわばレジューム機能を設けることで、次回、利用者がサービス処理に入った場合、前回利用していた画面の状態からサービスを開始することができ、利用者が次回の切替処理において、サービス処理を再開した場合、前回続きから開始することができる。また、画面の状態のみならず、検索などにおける入力状態、あるいは、ゲームを行っている場合には、ゲームの進行状態についても同様に記憶しておくことで途中から再開できるようにしてもよい。
【００６０】
次に、Ｓ２０６では、Ｓ２０２で取得した指紋情報に該当する利用者を、サービス処理を受ける利用者として切り替える。そして、Ｓ２０７にて前回記憶しておいた、画面の状態、入力の状態、ゲームの状態など、利用者が最後に利用していた状態に戻る。このような処理にて、Ｓ２０２で読み取った指紋情報の利用者への切替が行われることとなる。
【００６１】
一方、Ｓ２０４にて、取得した指紋情報が、現在ログインしている利用者の何れのものでもないと判断した場合には、まだログインしていない利用者、あるいは、まだ会員登録をしていない利用者による指紋情報の入力であると判断してＳ２０８以降の処理に進む。
【００６２】
Ｓ２０８では、Ｓ２０５と同様、現在の状態を待避することとなる。これは現時点でリモコン装置２００を手にしている利用者が、サービス処理を受けている利用者と異なっており、後の処理で開始処理や、登録処理にて当該利用者のサービス処理に切り替えられる可能性があるためである。
【００６３】
Ｓ２０８にて現在の状態を待避した後、Ｓ２０９ではログインするか、新規登録するか、あるいは初期画面に戻るかを利用者に選択させるメニュー画面に移動する。Ｓ２１０〜Ｓ２１において、何れかの選択がなされた場合には対応する処理に移動することとなる。メニュー画面にて「戻る」が選択された場合（Ｓ２１０）には、図４（Ｂ）の初期画面へ戻ることとなり、「ログイン」が選択された場合（Ｓ２１１）には、図６で説明した利用者をログインさせる開始処理を実行し、「登録」が選択された場合（Ｓ２１４）には、ホスト装置１００に新規会員として登録するための処理を開始することとなる。
【００６４】
なお、これらの開始処理、あるいは、登録処理への案内に加え、まだパスワードによる認証のみであって指紋情報を登録していない利用者のために、指紋情報の登録を促すこととしてもよい。
【００６５】
以上、本発明の種々の実施形態について説明したが、本発明はこれらの実施形態のみに限られるものではなく、それぞれの実施形態の構成を適宜組み合わせて構成した実施形態も本発明の範疇となるものである。
【図面の簡単な説明】
【００６６】
【図１】本発明の実施形態に係るカラオケシステムを示した図。
【図２】本発明の実施形態に係るコマンダを示した図。
【図３】本発明の実施形態に係るリモコン装置を示した図。
【図４】本発明の実施形態に係る２種類の初期画面を示した図。
【図５】本発明の実施形態に係るメンバー一覧画面を示した図。
【図６】本発明の実施形態に係る開始処理のフローを示した図。
【図７】本発明の実施形態に係る開始処理の画面遷移を示した図。
【図８】本発明の実施形態に係る切替処理のフローを示した図。
【符号の説明】
【００６７】
５０…通信網、６０…ルータ、７０…無線アクセスポイント、１００…カラオケホスト装置、２００…リモコン装置、２０１…制御手段、２０２…通信手段、２０３…指紋読取手段、２０４…記憶手段、２０５…表示手段、２０６…タッチ式センサ（入力手段）、２０７…タッチパネル、３００…コマンダ（カラオケ演奏装置）、３０１…コマンダ制御手段、３０２…コマンダ通信手段、３０３…フロントパネル表示手段、３０４…表示制御手段、３０５…コマンダ記憶手段、３０６…コマンダ入力手段、３０７…音源、３０８…ミキサ手段、４０１…アンプ、４０２…スピーカ、４０３…マイクロフォン、４０４…ディスプレイ、４０５…スタイラス、５００…選曲メニュー、６００…利用者メニュー
【図１】
2009294243.tif 000003
【図２】
2009294243.tif 000004
【図３】
2009294243.tif 000005
【図４】
2009294243.tif 000006
【図５】
2009294243.tif 000007
【図６】
2009294243.tif 000008
【図７】
2009294243.tif 000009
【図８】
2009294243.tif 000010